(57)【要約】【課題】受信機が受信可能なメモリ容量を送信機に通知し、送信機がカラー情報の送信を選択したときに、上記受信可能メモリ容量に基づいて、カラー情報を送信する通信モードを適切に決定することができ、したがって、カラー情報を確実に送信することができるようにする。【解決手段】受信可能なメモリ容量を、受信機から送信機に通知する手段と、ＪＰＥＧ受信機能の有無を、受信機から送信機に通知する手段と、フルカラー受信機能の有無を、受信機から送信機に通知する手段と、送信機から受信機に、ＪＰＥＧ送信を指定する手段と、送信機から受信機に、フルカラー送信を指定する手段と、送信機から受信機に、使用するメモリ容量を通知する手段とを有し、上記送信機は、上記受信機から通知された受信可能なメモリ容量に基づいて、カラー通信の通信モードを決定する。【選択図】　図１
2004088668.tif 000002
【特許請求の範囲】
【請求項１】
カラー情報を通信可能なファクシミリ装置において、
受信機として動作する場合は、
受信可能なメモリ容量を、送信機に通知する手段と；
ＪＰＥＧ受信機能の有無を、送信機に通知する手段と；
フルカラー受信機能の有無を、送信機に通知する手段と；
を有し、
送信機として動作する場合は、
ＪＰＥＧ送信を、受信機に指定する手段と；
フルカラー送信を、受信機に指定する手段と；
使用するメモリ容量を、受信機に通知する手段と；
受信機から通知された受信可能なメモリ容量に基づいて、複数のカラー通信の通信モードのうちから、１つのカラー通信の通信モードを決定する手段と；
を有することを特徴とするファクシミリ装置。
【請求項２】
請求項１において、
カラー送信を選択したときに、上記受信機から通知されたメモリ容量に基づいて、カラー送信する解像度に制限を設けることを特徴とするファクシミリ装置。
【請求項３】
請求項１または請求項２において、
カラー送信を選択したときに、上記受信機から通知されたメモリ容量に基づいて、カラー送信する量子化テーブルに制限を設けることを特徴とするファクシミリ装置。
【請求項４】
請求項１〜請求項３のいずれか１項において、
カラー送信を選択したときに、上記受信機から通知されるメモリ容量に基づいて、カラー送信する原稿サイズに制限を設けることを特徴とするファクシミリ装置。
【請求項５】
カラー情報を通信可能なファクシミリ装置において、
送信機として動作する場合は、
ＪＰＥＧ送信を、受信機に指定する手段と；
フルカラー送信を、受信機に指定する手段と；
非定型サイズのカラー情報の送信を、受信機に指定する手段と；
を有し、
受信機として動作する場合は、
ＪＰＥＧ受信機能の有無を、送信機に通知する手段と；
フルカラー受信機能の有無を、送信機に通知する手段と；
非定型サイズのカラー情報を受信する機能の有無を、送信機に通知する手段と；
非定型サイズのカラー送信の指定の有無に基づいて、記録方法を変更する手段と；
を有することを特徴とするファクシミリ装置。
【請求項６】
請求項５において、
上記非定型サイズ通信の指定があれば、受信情報を指定サイズにフィットするように解像度を変換し、記録することを特徴とするファクシミリ装置。
【請求項７】
請求項５または請求項６において、
上記非定型サイズ通信の指定が無ければ、解像度を変えずに受信情報を記録することを特徴とするファクシミリ装置。
【請求項８】
請求項５〜請求項７のいずれか１項において、
上記非定型サイズ通信の指定があれば、受信情報を拡大して記録することがあることを特徴とするファクシミリ装置。
【請求項９】
請求項８において、
上記非定型サイズ通信の指定があり、しかも、受信情報の拡大率が所定割合以下で１ページに受信情報がフィットすれば、受信情報を拡大して記録することを特徴とするファクシミリ装置。
【請求項１０】
請求項５〜請求項９のいずれか１項において、
上記非定型サイズ通信の指定の有無とは無関係に、受信情報を縮小して記録することがあることを特徴とするファクシミリ装置。
【請求項１１】
請求項１０において、
受信情報の縮小率が所定割合以上であり、しかも、１ページに受信情報の記録が可能であれば、受信情報を縮小して記録することを特徴とするファクシミリ装置。
【請求項１２】
カラー情報を通信可能なファクシミリ装置の制御方法において、
受信機として動作する場合は、
受信可能なメモリ容量を、送信機に通知する段階と；
ＪＰＥＧ受信機能の有無を、送信機に通知する段階と；
フルカラー受信機能の有無を、送信機に通知する段階と；
を有し、
送信機として動作する場合は、
ＪＰＥＧ送信を、受信機に指定する段階と；
フルカラー送信を、受信機に指定する段階と；
使用するメモリ容量を、受信機に通知する段階と；
受信機から通知された受信可能なメモリ容量に基づいて、複数のカラー通信の通信モードのうちから、１つのカラー通信の通信モードを決定する段階と；
を有することを特徴とするファクシミリ装置の制御方法。
【請求項１３】
カラー情報を通信可能なファクシミリ装置の制御方法において、
送信機として動作する場合は、
ＪＰＥＧ送信を、受信機に指定する段階と；
フルカラー送信を、受信機に指定する段階と；
非定型サイズのカラー情報の送信を、受信機に指定する段階と；
を有し、
受信機として動作する場合は、
ＪＰＥＧ受信機能の有無を、送信機に通知する段階と；
フルカラー受信機能の有無を、送信機に通知する段階と；
非定型サイズのカラー情報を受信する機能の有無を、送信機に通知する段階と；
非定型サイズのカラー送信の指定の有無に基づいて、記録方法を変更する段階と；
を有することを特徴とするファクシミリ装置の制御方法。
【発明の詳細な説明】
【０００１】
【発明の属する技術分野】
本発明は、ファクシミリ装置、特に、カラー情報を通信可能なファクシミリ装置およびその制御方法に関する。
【０００２】
【従来の技術】
従来のファクシミリ装置として、モノクロ情報を送信するファクシミリ装置とカラー情報を送信するファクシミリ装置とがある。ここで、モノクロ情報を送信するファクシミリ装置では、符号化として、ＭＨ、ＭＲ、ＭＭＲ、ＪＢＩＧがあり、また、送信サイズ、送信解像度等の違いがある。また、カラー情報を送信するファクシミリ装置では、符号化はＪＰＥＧであり、送信解像度の違いに加えて、量子化テーブルを任意に選択することができる。
【０００３】
また、カラー送信を選択したときに、相手受信機がフルカラー受信機能を有し、しかも、ＪＰＥＧ符号化の受信機能を有していれば、カラー通信を実行する。
【０００４】
【発明が解決しようとする課題】
しかし、受信機から送信機に、フルカラー受信機能を有し、しかも、ＪＰＥＧ符号化の受信機能を有することを通知しても、受信機側では、カラー情報を特に、高解像度で、量子化テーブルが荒く送信され、符号化量が多い程、受信時に必要なメモリ容量が増加する。そして、相手受信機から、フルカラー受信機能を有し、しかも、ＪＰＥＧ符号化の受信機能を有することが、送信機に通知されても、受信可能なメモリ容量が少なければ、カラー通信が通信エラーになるという問題がある。
【０００５】
本発明は、受信機が受信可能なメモリ容量を送信機に通知し、送信機がカラー情報の送信を選択したときに、上記受信可能メモリ容量に基づいて、カラー情報を送信する通信モードを適切に決定することができ、したがって、カラー情報を確実に送信することができるファクシミリ装置およびその制御方法を提供することを目的とするものである。
【０００６】
【課題を解決するための手段】
本発明は、カラー情報を通信可能なファクシミリ装置において、受信機として動作する場合は、受信可能なメモリ容量を送信機に通知する手段と、ＪＰＥＧ受信機能の有無を送信機に通知する手段と、フルカラー受信機能の有無を送信機に通知する手段とを有し、一方、送信機として動作する場合は、ＪＰＥＧ送信を受信機に指定する手段と、フルカラー送信を受信機に指定する手段と、使用するメモリ容量を受信機に通知する手段と、受信機から通知された受信可能なメモリ容量に基づいて、複数のカラー通信の通信モードのうちから、１つのカラー通信の通信モードを決定する手段とを有するファクシミリ装置である。
【０００７】
【発明の実施の形態および実施例】
［第１の実施例］
図１は、本発明の第１の実施例であるファクシミリ装置ＦＳ１を示すブロック図である。
【０００８】
ファクシミリ装置ＦＳ１において、ＮＣＵ（網制御装置）２は、電話網をデータ通信等に使用するために、その回線の端末に接続し、電話交換網の接続制御を行ったり、データ通信路への切り換えを行ったり、ループの保持を行うものである。また、ＮＣＵ２は、バス２６からの制御によって、電話回線２ａを電話機側に接続（ＣＭＬオフ）し、電話回線２ａをファクシミリ装置側に接続（ＣＭＬオン）するものである。なお、通常状態では、電話回線２ａは、電話機４側に接続されている。
【０００９】
ハイブリッド回路６は、送信系の信号と受信系との信号とを分離し、加算回路１２からの送信信号を、ＮＣＵ２経由で電話回線２ａに送出し、相手側からの信号をＮＣＵ２経由で受け取り、信号線６ａ経由で変復調器８に送るものである。
【００１０】
変復調器８は、ＩＴＵ−Ｔ勧告Ｖ．８、Ｖ．２１、Ｖ．２７ｔｅｒ、Ｖ．２９、Ｖ．１７、Ｖ．３４に基づいた変調と復調とを行う変復調器であり、バス２６の制御によって、各伝送モードが指定される。変復調器８は、バス２６からの送信信号を入力し、変調データを信号線８ａに出力し、信号線６ａに出力されている受信信号を入力し、復調データをバス２６に出力する。
【００１１】
発呼回路１０は、バス２６からの信号によって、電話番号情報を入力し、信号線１０ａにＤＴＭＦの選択信号を出力する。
【００１２】
加算回路１２は、信号線８ａの情報と信号線１０ａの情報とを入力し、加算した結果を信号線１２ａに出力する。
【００１３】
カラー情報を読み取り可能な読取回路１４は、読み取りデータをバス２６に出力する。
【００１４】
カラー情報を記録可能な記録回路１６は、バス２６に出力されている情報を、順次、１ライン毎に記録する。
【００１５】
メモリ回路１８は、ワーク用のメモリ（ＲＡＭ）、さらに、読み取りデータの生情報、または、符号化した情報を格納し、また、受信情報、または、復号化した情報等を、バス２６を介して格納するために使用する。
【００１６】
操作部２０は、ワンタッチダイヤル、短縮ダイヤル、テンキー、＊キー、＃キー、スタートキー、ストップキー、セットキー、カラー送信選択キー、送信解像度選択キー、その他のファンクションキーを備え、押下されたキー情報は、バス２６に出力される。操作部２０には、表示部があり、バス２６に出力されている情報を入力し、表示する。
【００１７】
ＣＰＵ（中央処理装置）２２は、ファクシミリ装置ＦＳ１の全体を制御し、ファクシミリ伝送制御手順を実行し、その制御プログラムは、ＲＯＭ２４に格納されている。
【００１８】
ＲＯＭ２４は、カラー情報を通信可能なファクシミリ装置において、受信可能なメモリ容量を、受信機から送信機に通知する手段と、ＪＰＥＧ受信機能の有無を、受信機から送信機に通知する手段と、フルカラー受信機能の有無を、受信機から送信機に通知する手段と、送信機から受信機に、ＪＰＥＧ送信を指定する手段と、送信機から受信機に、フルカラー送信を指定する手段と、送信機から受信機に、使用するメモリ容量を通知する手段とを実現する制御プログラムを格納し、また、上記受信機から通知された受信可能なメモリ容量に基づいて、上記送信機がカラー通信の通信モードを決定する制御プログラムを格納している。
【００１９】
なお、上記制御プログラムは、カラー送信が選択されたときに、上記受信機から通知されたメモリ容量に基づいて、カラー送信する解像度に制限を設けるプログラムであり、また、カラー送信が選択されたときに、受信機から通知されるメモリ容量に基づいて、カラー送信する量子化テーブルに制限を設けるプログラムであり、さらに、カラー送信が選択されたときに、受信機から通知されるメモリ容量に基づいて、カラー送信する原稿サイズに制限を設けるプログラムである。
【００２０】
図２〜図９は、ファクシミリ装置ＦＳ１を制御する動作を示すフローチャートである。
【００２１】
Ｓ２では、バス２６を介して、メモリ１８をイニシャライズし、Ｓ４では、バス２６を介して、操作部の表示部をクリアし、Ｓ６では、バス２６を介して、ＮＣＵ２のＣＭＬをオフする。
【００２２】
Ｓ８では、ファクシミリ受信が選択されたか否かを判断し、ファクシミリ受信が選択されていれば、ステップＳ１４に進み、ファクシミリ受信が選択されていなければ、ステップＳ１０に進む。
【００２３】
Ｓ１０では、ファクシミリ送信が選択されたか否かを判断し、ファクシミリ送信が選択されていれば、ステップＳ３０に進み、ファクシミリ送信が選択されていなければ、ステップＳ１２に進み、その他の処理を実行する。
【００２４】
Ｓ１４では、バス２６を介して、ＮＣＵ２のＣＭＬをオンし、Ｓ１６では、バス２６を介して、使用可能なメモリ容量を判定し、１．０Ｍｂｙｔｅ未満であれば、ステップＳ１８に進み、１．０Ｍｂｙｔｅ以上２．０Ｍｂｙｔｅ未満であれば、ステップＳ２４に進み、２．０Ｍｂｙｔｅ以上３２．０Ｍｂｙｔｅ未満であれば、ステップＳ２６に進み、３２．０Ｍｂｙｔｅ以上であれば、ステップＳ２８に進む。
【００２５】
Ｓ１８では、前手順を実行し、ここで、ＪＰＥＧ受信機能有りを通知し、フルカラー受信機能有りを通知し、１２００ｄｐｉまでのＪＰＥＧとフルカラー受信機能ありを通知し、使用可能なメモリ容量はｎｏｔ　ａｖａｉｌａｂｌｅであることを通知する。
【００２６】
Ｓ２０では、指定された通信モード（サイズ、ＪＰＥＧの有無、フルカラーの有無、解像度等）で受信し、記録し、Ｓ２２では、後手順を実行し、Ｓ２４では、前手順を実行し、ここで、ＪＰＥＧ受信機能有りを通知し、フルカラー受信機能有りを通知し、１２００ｄｐｉまでのＪＰＥＧとフルカラー受信機能ありを通知し、使用可能なメモリ容量が１．０Ｍｂｙｔｅであることを通知する。
【００２７】
Ｓ２６では、前手順を実行し、ここで、ＪＰＥＧ受信機能有りを通知し、フルカラー受信機能有りを通知し、１２００ｄｐｉまでのＪＰＥＧとフルカラー受信機能ありとを通知し、使用可能なメモリ容量が２．０Ｍｂｙｔｅであることを通知する。
【００２８】
Ｓ２８では、前手順を実行し、ここで、ＪＰＥＧ受信機能有りを通知し、フルカラー受信機能有りを通知し、１２００ｄｐｉまでのＪＰＥＧとフルカラー受信機能ありとを通知し、使用可能なメモリ容量はｕｎｌｉｍｉｔｅｄ（３２Ｍｂｙｔｅ以上）であると通知する。
【００２９】
Ｓ３０では、バス２６を介して、ＮＣＵ２のＣＭＬをオンし、Ｓ３２では、バス２６を介して、指定された宛先へ発呼し、Ｓ３４では、前手順を実行する。
【００３０】
Ｓ３６では、バス２６を介して、操作部の情報を入力し、カラー送信が選択されたか否かを判断し、カラー送信が選択されていれば、ステップＳ４４に進み、カラー送信が選択されていなければ、ステップＳ３８に進む。
【００３１】
Ｓ３８では、残りの前手順を実行し、ここで、ＪＰＥＧ送信を指定しないで、フルカラー送信を指定しないで、メモリ使用量は、ｎｏｔ　ａｖａｉｌａｂｌｅであることを指定する。
【００３２】
Ｓ４０では、原稿情報のモノクロ読み取り、送信を表し、Ｓ４２では、後手順を実行する。
【００３３】
Ｓ４４では、相手機にＪＰＥＧ受信機能がありしかもフルカラー受信機能があるか否かを判断し、相手機にＪＰＥＧ受信機能がありしかもフルカラー受信機能があれば、ステップＳ４６に進み、そうでなければ、ステップＳ３８に進む。
【００３４】
Ｓ４６では、バス２６を介して、操作部の情報を入力し、１２００ｄｐｉでの送信が選択されたか否かを判断し、１２００ｄｐｉでの送信が選択されていれば、ステップＳ５０に進み、１２００ｄｐｉでの送信が選択されていなければ、ステップＳ４８に進む。
【００３５】
Ｓ４８では、バス２６を介して、操作部の情報を入力し、６００ｄｐｉでの送信が選択されたか否かを判断し、６００ｄｐｉでの送信が選択されていれば、ステップＳ６４に進み、６００ｄｐｉでの送信が選択されていなければ、ステップＳ７２に進む。
【００３６】
Ｓ５０では、相手機から通知された使用可能なメモリ容量がｕｎｌｉｍｉｔｅｄであるか否かを判断し、相手機から通知された使用可能なメモリ容量がｕｎｌｉｍｉｔｅｄであれば、ステップＳ５２に進み、相手機から通知された使用可能なメモリ容量がｕｎｌｉｍｉｔｅｄでなければ、ステップＳ５８に進む。
【００３７】
Ｓ５２は、残りの前手順を実行し、ここで、ＪＰＥＧ送信を指定し、フルカラー送信を指定し、１２００ｄｐｉカラー送信を指定し、メモリ使用量は、ｕｎｌｉｍｉｔｅｄであることを指定する。
【００３８】
Ｓ５４では、指定された解像度によって、量子化テーブルＢ（量子化テーブルＡより、荒く、情報量は多い。）で原稿をカラー読み取りし、送信する。
【００３９】
Ｓ５６では、後手順を実行する。
【００４０】
Ｓ５８では、相手機から通知された使用可能なメモリ容量が２．０Ｍｂｙｔｅであるか否かを判断し、相手機から通知された使用可能なメモリ容量が２．０Ｍｂｙｔｅであれば、ステップＳ６０に進み、相手機から通知された使用可能なメモリ容量が２．０Ｍｂｙｔｅでなければ、ステップＳ６８に進む。
【００４１】
Ｓ６０では、残りの前手順を実行し、ここで、ＪＰＥＧ送信を指定し、フルカラー送信を指定し、１２００ｄｐｉカラー送信を指定し、メモリ使用量が２．０Ｍｂｙｔｅであることを指定する。
【００４２】
Ｓ６２では、指定された解像度によって、量子化テーブルＡでの原稿のカラー読み取りし、送信する。
【００４３】
Ｓ６４では、相手機から通知された使用可能なメモリ容量が、２．０Ｍｂｙｔｅ、または、ｕｎｌｉｍｉｔｅｄであるか否かを判断し、２．０Ｍｂｙｔｅ、または、ｕｎｌｉｍｉｔｅｄであれば、ステップＳ６６に進み、２．０Ｍｂｙｔｅ、または、ｕｎｌｉｍｉｔｅｄでなければ、ステップＳ６８に進む。
【００４４】
Ｓ６６では、残りの前手順を実行し、ここで、ＪＰＥＧ送信を指定し、フルカラー送信を指定し、６００ｄｐｉカラー送信を指定し、メモリ使用量は受信機から通知されたメモリ容量と同じにする。
【００４５】
Ｓ６８では、相手機から通知された使用可能なメモリ容量が１．０Ｍｂｙｔｅであるか否かを判断し、相手機から通知された使用可能なメモリ容量が１．０Ｍｂｙｔｅであれば、ステップＳ７０に進み、相手機から通知された使用可能なメモリ容量が１．０Ｍｂｙｔｅでなければ、ステップＳ７８に進む。
【００４６】
Ｓ７０では、残りの前手順を実行し、ここで、ＪＰＥＧ送信を指定し、フルカラー送信を指定し、６００ｄｐｉカラー送信を指定し、メモリ使用量として１．０Ｍｂｙｔｅを指定する。
【００４７】
Ｓ７２では、バス２６を介して、操作部の情報を入力し、４００ｄｐｉでの送信が選択されたか否かを判断し、４００ｄｐｉでの送信が選択されていれば、ステップＳ７４に進み、４００ｄｐｉでの送信が選択されていなければ、ステップＳ８０に進む。
【００４８】
Ｓ７４では、相手機から通知された使用可能なメモリ容量が、１．０Ｍｂｙｔｅ、２．０Ｍｂｙｔｅ、ｕｎｌｉｍｉｔｅｄのうちの１つであるか否かを判断し、１．０Ｍｂｙｔｅ、２．０Ｍｂｙｔｅ、ｕｎｌｉｍｉｔｅｄのうちの１つであれば、ステップＳ７６に進み、１．０Ｍｂｙｔｅ、２．０Ｍｂｙｔｅ、ｕｎｌｉｍｉｔｅｄのどれでもなければ、ステップＳ７８に進む。
【００４９】
Ｓ７６では、残りの前手順を実行し、ここで、ＪＰＥＧ送信を指定し、フルカラー送信を指定し、４００ｄｐｉカラー送信を指定し、メモリ使用量として、受信機から通知されたメモリ容量と同じにする。
【００５０】
Ｓ７８では、残りの前手順を実行し、ここで、ＪＰＥＧ送信を指定し、フルカラー送信を指定し、４００ｄｐｉカラー送信を指定し、メモリ使用量として、ｎｏｔ　ａｖａｉｌａｂｌｅを指定する。
【００５１】
Ｓ８０では、残りの前手順を実行し、ここで、ＪＰＥＧ送信を指定し、フルカラー送信を指定し、２００ｄｐｉカラー送信を指定し、メモリ使用量として、受信機から通知されたメモリ容量と同じにする。
【００５２】
［第２の実施例］
本発明の第２の実施例は、第１の実施例において、カラー送信が選択されたときに、受信機から通知されたメモリ容量に基づいて、カラー送信する原稿サイズに制限を設ける実施例である。
【００５３】
図１０は、本発明の第２の実施例の動作を示すフローチャートであり、図２〜図９に示すフローチャートと異なる動作を示すフローチャートである。
【００５４】
図１０に示すフローチャートおいて、Ｓ９０は、ステップＳ４８におけるＹＥＳである（バス２６を介して、操作部の情報を入力し、６００ｄｐｉでの送信が選択された場合である）。
【００５５】
Ｓ９２では、伝送サイズがＢ４であるか否かを判断し、伝送サイズがＢ４であれば、ステップＳ９６に進み、伝送サイズがＢ４でなければ、ステップＳ９４（Ｓ６４）に進む。Ｓ９４以降では、Ａ４サイズでの伝送を実施する。
【００５６】
Ｓ９６では、使用可能なメモリ容量がｕｎｌｉｍｉｔｅｄであるか否かを判断し、使用可能なメモリ容量がｕｎｌｉｍｉｔｅｄであれば、ステップＳ１００（Ｓ６６）に進み、使用可能なメモリ容量がｕｎｌｉｍｉｔｅｄでなければ、ステップＳ９８（Ｓ６４）に進む。Ｓ９８以降では、Ｂ４サイズの情報をＡ４サイズに縮小し、Ａ４サイズで伝送する。Ｓ１００以降では、Ｂ４サイズでの伝送を実施する。
【００５７】
上記実施例によれば、受信機が受信可能なメモリ容量を送信機に通知し、送信機がカラー情報の送信を選択したときに、上記受信可能メモリ容量に基づいて、カラー情報を送信する通信モードを適切に決定することができ、したがって、カラー情報を確実に送信することができる。
【００５８】
また、上記実施例は、カラー送信を選択したときに、上記受信機から通知されたメモリ容量に基づいて、カラー送信する解像度に制限を設けるので、カラー通信が選択されたときに、相手受信機から通知された受信可能なメモリ容量に応じて、カラー送信する解像度に適切な制限を設け、したがって、確実にカラー情報の送信が可能になる。
【００５９】
さらに、上記実施例は、カラー送信を選択したときに、上記受信機から通知されたメモリ容量に基づいて、カラー送信する量子化テーブルに制限を設けるので、カラー通信が選択されたときに、相手受信機から通知された受信可能なメモリ容量に応じて、カラー送信する量子化テーブルに適切な制限を設け、したがって、確実にカラー情報の送信が可能になる。
【００６０】
そして、上記実施例によれば、カラー送信を選択したときに、上記受信機から通知されるメモリ容量に基づいて、カラー送信する原稿サイズに制限を設けるので、カラー通信が選択されたときに、相手受信機から通知された受信可能なメモリ容量に応じて、カラー送信する原稿サイズに適切な制限を設け、したがって、確実にカラー情報の送信が可能になる。
【００６１】
ところで、従来のファクシミリ装置は、ＩＴＵ−Ｔ勧告に基づいて設計されている。この勧告では、受信機から送信機にＪＰＥＧ受信機能の有無と、フルカラー受信機能の有無とを通知し、送信機から受信機へは、ＪＰＥＧ送信の指定の有無と、フルカラー送信の指定の有無とを通知している。ここで、ＪＰＥＧ符号化においてフルカラー送信を指定するときが、カラー送信になる。従来のモノクロファクシミリ装置において、符号化は、ＭＨ、ＭＲ、ＭＭＲ、ＪＢＩＧ等が使用されているが、ここで、画信号のサイズを指定することは無く、前手順において主走査方向にＡ４、Ｂ４、Ａ３のように、定型サイズとして送信する。これは、カラーファクシミリ通信においても同様である。
【００６２】
モノクロファクシミリでは、原稿情報の送信が多く、定型サイズの送信で全く問題は発生しない。しかし、カラー通信可能なファクシミリ装置においては、たとえば、孫の写真を祖父母に送信する等、写真サイズの送信ニーズがあり、また、カラー情報の送信では、符号化量も多く、カラー送信に時間がかかることもある。したがって、上記従来例において、これら写真等の情報をＡ４サイズの情報で送信することは、無駄であるという問題があり、また、１ページの記録紙の中で空白の部分も多く無駄になるという問題がある。
【００６３】
［第３の実施例］
図１１は、本発明の第３の実施例であるファクシミリ装置ＦＳ３を示すブロック図である。
【００６４】
ファクシミリ装置ＦＳ３において、ＮＣＵ（網制御装置）１０２は、電話網をデータ通信等に使用するために、その回線の端末に接続し、電話交換網の接続制御を行ったり、データ通信路への切り換えを行ったり、ループの保持を行うものである。また、ＮＣＵ１０２は、バス１２６からの制御によって、電話回線１０２ａを電話機側に接続（ＣＭＬオフ）し、電話回線１０２ａをファクシミリ装置側に接続（ＣＭＬオン）するものである。なお、通常状態では、電話回線１０２ａは、電話機１０４側に接続されている。
【００６５】
ハイブリッド回路１０６は、送信系の信号と受信系の信号とを分離し、加算回路１１２からの送信信号をＮＣＵ１０２経由で電話回線１０２ａに送出し、相手側からの信号をＮＣＵ１０２経由で受け取り、信号線１０６ａ経由で変復調器１０８に送るものである。
【００６６】
変復調器１０８は、ＩＴＵ−Ｔ勧告Ｖ．８、Ｖ．２１、Ｖ２７ｔｅｒ、Ｖ．２９、Ｖ．１７、Ｖ．３４に基づいた変調と復調とを行う変復調器であり、バス１２６の制御によって、各伝送モードが指定される。変復調器１０８は、バス１２６からの送信信号を入力し、変調データを信号線１０８ａに出力し、信号線１０６ａに出力されている受信信号を入力し、復調データをバス１２６に出力する。
【００６７】
発呼回路１１０は、バス１２６からの信号によって、電話番号情報を入力し、信号線１１０ａにＤＴＭＦの選択信号を出力する。
【００６８】
加算回路１１２は、信号線１０８ａの情報と信号線１１０ａの情報を入力し、加算した結果を信号線１１２ａに出力する。
【００６９】
読取回路１１４は、カラー情報を読み取り可能な読取回路であり、読み取りデータをバス１２６に出力する。
【００７０】
記録回路１６は、カラー情報を記録可能な記録回路であり、バス１２６に出力されている情報を順次、１ライン毎に記録する。
【００７１】
メモリ回路１１８は、ワーク用のメモリ（ＲＡＭ）、さらに、読み取りデータの生情報、または、符号化した情報を格納し、また、受信情報、または、符号化した情報等をバス１２６を介して格納するために使用する。
【００７２】
操作部１２０は、ワンタッチダイヤル、短縮ダイヤル、テンキー、＊キー、＃キー、スタートキー、ストップキー、セットキー、カラー送信選択キー、その他のファンクションキーがあり、押下されたキー情報はバス１２６に出力される。
【００７３】
操作部には、表示部があり、バス１２６に出力されている情報を入力し、表示する。
【００７４】
ＣＰＵ（中央処理装置）１２２は、ファクシミリ全体の制御をし、ファクシミリ伝送制御手順を実行し、その制御プログラムはＲＯＭ１２４に格納されている。
【００７５】
ＲＯＭ１２４は、カラー情報を通信可能なファクシミリ装置において、受信機から送信機に、ＪＰＥＧ受信機能の有無を通知する手段と、受信機から送信機に、フルカラー受信機能の有無を通知する手段と、受信機から送信機に、非定型サイズのカラー情報を受信する機能の有無を通知する手段と、送信機から受信機に、ＪＰＥＧ送信を指定する手段と、送信機から受信機に、フルカラー送信を指定する手段と、送信機から受信機に、非定型サイズのカラー情報の送信を指定する手段とを実現する制御プログラムを格納し、また、受信機において、非定型サイズのカラー送信の指定の有無に基づいて、記録方法を変更する制御プログラムを格納している。
【００７６】
具体的には、ＲＯＭ１２４は、非定型サイズ通信の指定があると、受信情報を指定サイズにフィットするように解像度を変換して記録を実行する制御プログラムを格納し、また、非定型サイズ通信の指定が無いと、解像度を変えずに受信情報を記録する制御プログラムを格納している。ここで、非定型サイズ通信の指定があると、受信情報を拡大して記録することがある。非定型サイズ通信の指定があり、受信情報の拡大率が所定割合以下で１ページに受信情報がフィットすると、受信情報を拡大して記録する。
【００７７】
一方、非定型サイズ通信の指定の有無とは無関係に、受信情報を縮小して記録することがある。ここで、受信情報の縮小率が所定割合以上であり、しかも、１ページに受信情報の記録が可能であると、受信情報を縮小して記録する。
【００７８】
より具体的には、非定型サイズのカラー通信が指定され、受信した情報を記録用紙に対して、２倍未満の拡大であれば、拡大して記録し、１ページの記録紙にフィットするように印字し、一方、２倍以上の拡大であれば、２ｉｎ１記録（２ページの受信情報を１ページの記録紙に記録すること）を実行し、また、１０％以下の縮小であれば、縮小して記録し、１ページの記録紙にフィットするように印字する。
【００７９】
ここで、非定型サイズのカラー通信が指定されないと、１０％以下の縮小であれば、縮小して記録し、１ページの記録紙にフィットするように印字する制御のみを実行し、等倍での記録、さらに、１ページの受信情報は１ページの記録紙に記録することを尊重する。
【００８０】
上記内容を実行する制御プログラムが、ＲＯＭ１２４に格納されている。
【００８１】
図１２は、第３の実施例におけるカラー伝送におけるプロトコルの具体例を示す図である。
【００８２】
ここで、ＤＩＳ、ＤＴＣ、ＤＣＳ信号のＦＩＦの６８、６９ビットは、現在のＩＴＵ−Ｔ勧告に決められている情報であり、ここでは、Ｘビットを新設する。
【００８３】
ＤＩＳ、ＤＴＣ信号のＦＩＦの６８ビットは、ＪＰＥＧ符号化の受信機能の有無を表し、ＤＣＳ信号のＦＩＦの６８ビットは、ＪＰＥＧ符号化の送信指定を表す。
【００８４】
ＤＩＳ、ＤＴＣ信号のＦＩＦの６９ビットは、フルカラーモードの受信機能の有無を表し、ＤＣＳ信号のＦＩＦの６９ビットは、フルカラーモードの送信指定を表す。
【００８５】
ＤＩＳ、ＤＴＣ信号のＦＩＦのＸビットは、カラー非定型サイズの受信機能の有無を表し、ＤＣＳ信号のＦＩＦのＸビットはカラー非定型サイズの送信指定を表す。
【００８６】
図１３は、第３の実施例において、カラー受信で非定型サイズ通知があった場合における受信情報に対する記録を示す図である。
【００８７】
まず、主走査、副走査ともに１／２以下の情報「Ａ」を受信すると、所定割合の拡大で４ｉｎ１でフィットするように拡大記録する。次に、上記のように、受信情報が大きく、主走査、副走査ともに１／（２１／２）以下の情報「Ｂ」を受信すると、所定割合の拡大で、２ｉｎ１でフィットするように拡大記録する。
【００８８】
また、上記のように、受信情報が大きく、主走査、副走査ともに１以下の情報「Ｃ」を受信すると、所定割合の拡大で、１ｉｎ１でフィットするように拡大記録する。
【００８９】
さらに、上記のように、受信情報が大きく、主走査、副走査ともに１．１以下の情報「Ｄ」を受信すると、１ｉｎ１でフィットするように所定割合の縮小で記録する。そして、上記のように、受信情報が大きいと、２ページに分割して記録する。
【００９０】
図１４は、第３の実施例において、モノクロ２値の受信情報に対する記録、モノクロ多値の受信情報に対する記録、カラー受信で非定型サイズ通知がない場合の受信情報に対する記録を示す図である。
【００９１】
まず、主走査、副走査ともに１／２以下の情報「Ａ」を受信すると、１ｉｎ１で等倍記録する。次に、上記より受信情報が大きく、主走査、副走査ともに１／（２１／２）以下の情報「Ｂ」を受信すると、上記と同様に、１ｉｎ１で等倍記録する。
【００９２】
また、上記より受信情報が大きく、主走査、副走査ともに１以下の情報「Ｃ」を受信すると、１ｉｎ１で等倍記録する。さらに、上記のように、受信情報が大きく、主走査、副走査ともに１．１以下の情報「Ｄ」を受信すると、所定割合の縮小で１ｉｎ１でフィットするように記録する。そして、上記のように、受信情報が大きいと、２ページに分割して記録する。
【００９３】
図１５、図１６は、第３の実施例の動作を示すフローチャートである。
【００９４】
Ｓ１０２では、バス１２６を介して、メモリ１１８をイニシャライズし、Ｓ１０４では、バス１２６を介して、操作部の表示部をクリアし、Ｓ１０６では、バス１２６を介して、ＮＣＵ１０２のＣＭＬをオフする。
【００９５】
Ｓ１０８では、ファクシミリ受信が選択されたか否かを判断し、ファクシミリ受信が選択されていれば、ステップＳ１１２に進み、ファクシミリ受信が選択されていなければ、ステップＳ１１０に進み、その他の処理を実行する。
【００９６】
Ｓ１１２では、バス１２６を介して、ＮＣＵ１０２のＣＭＬをオンし、Ｓ１１４では、前手順を実行し、ここで、まず、Ａ４サイズの受信機能有りを通知する。また、ＤＩＳ信号のＦＩＦの６８、６９、Ｘビットを全て１として、ＪＰＥＧ受信機能有り、フルカラー受信機能有り、カラー非定型サイズ受信機能有りを通知する。
【００９７】
Ｓ１１６では、ＤＣＳ信号のＦＩＦの６８ビットは、１であるか、すなわち、ＪＰＥＧ送信が指定されたか否かを判断し、ＪＰＥＧ送信が指定されていれば、ステップＳ１２２に進み、ＪＰＥＧ送信が指定されていなければ、ステップＳ１１８に進む。
【００９８】
Ｓ１１８では、モノクロ２値信号を受信し図１４に示す記録を実行し、Ｓ１２０では、後手順を実行する。
【００９９】
Ｓ１２２では、ＤＣＳ信号のＦＩＦの６９ビットが１であるか、すなわち、フルカラー送信が指定されたか否かを判断し、フルカラー送信が指定されていれば、ステップＳ１２８に進み、フルカラー送信が指定されていなければ、ステップＳ１２４に進む。
【０１００】
Ｓ１２４では、モノクロ多値信号を受信し図１４に示す記録を実行し、Ｓ１２６では、後手順を実行する。
【０１０１】
Ｓ１２８では、ＤＣＳ信号のＦＩＦのＸビットが１であるか、すなわち、カラー非定型サイズの送信指定があるか否かを判断し、カラー非定型サイズの送信指定があれば、ステップＳ１３４に進み、カラー非定型サイズの送信指定がなければ、ステップＳ１３０に進む。
【０１０２】
Ｓ１３０では、カラー信号を受信し図１４に示す記録を実行し、Ｓ１３２では、後手順を実行し、Ｓ１３４では、カラー信号を受信し図１３に示す記録を実行し、Ｓ１３６では、後手順を実行する。
【０１０３】
上記第３の実施例によれば、非定型サイズのカラー通信が指定されると、受信した情報を記録用紙に記録し、２倍未満の拡大であれば、拡大して記録し、１ページの記録紙にフィットするように印字し、一方、２倍以上の拡大であれば、２ｉｎ１記録（２ページの受信情報を１ページの記録紙に記録すること）を実行し、また、１０％以下の縮小であれば、縮小して記録し、１ページの記録紙にフィットするように印字できるので、記録紙を有効利用することができる。
【０１０４】
ここで、非定型サイズのカラー通信が指定されないと、上記のように、１０％以下の縮小であれば、縮小して記録し、１ページの記録紙にフィットするように印字する制御のみを実行し、等倍での記録、さらに、１ページの受信情報は１ページの記録紙に記録することを尊重する。
【０１０５】
上記実施例によれば、受信機が受信可能なメモリ容量を送信機に通知し、送信機がカラー情報の送信を選択したときに、上記受信可能メモリ容量に基づいて、カラー情報を送信する通信モードを適切に決定することができ、したがって、カラー情報を確実に送信することができる。
【０１０６】
また、上記実施例によれば、非定型サイズ通信の指定があると、受信情報を指定サイズにフィットするように解像度を変換して記録を実施することができ、さらに、非定型サイズ通信の指定が無いと、受信情報は解像度を変えずに、記録し、１ページの記録紙にフィットするように印字し、非定型サイズ通信の指定があり、受信情報の拡大率が所定割合以下で１ページに受信情報がフィットすると受信情報を拡大して記録することができ、非定型サイズ通信の指定の有無に無関係に受信情報を縮小して記録することがあり、また、受信情報の縮小率が所定割合以上であると１ページに受信情報の記録が可能であると、受信情報を縮小して記録することができる。
【０１０７】
これらによって、非定型サイズのカラー通信が指定されると、受信した情報を記録用紙に対して、２倍未満の拡大であれば、拡大して記録し、１ページの記録紙にフィットするように印字し、一方、２倍以上の拡大であれば、２ｉｎ１記録（２ページの受信情報を１ページの記録紙に記録する）し、また、１０％以下の縮小であれば、縮小して記録し、１ページの記録紙にフィットするように印字でき、記録紙の有効利用が可能になり、ユーザには使い勝手がよい。ここで、非定型サイズのカラー通信が指定されないと、１０％以下の縮小であれば、縮小して記録し、１ページの記録紙にフィットするように印字する制御のみ実行し、等倍での記録、さらに、１ページの受信情報は１ページの記録紙に記録することを尊重する。
【０１０８】
【発明の効果】
請求項１〜４、１２記載の発明によれば、受信機が受信可能なメモリ容量を送信機に通知し、送信機がカラー情報の送信を選択したときに、上記受信可能メモリ容量に基づいて、カラー情報を送信する通信モードを適切に決定することができ、したがって、カラー情報を確実に送信することができるという効果を奏する。
【０１０９】
請求項５〜１１、１３記載の発明によれば、非定型サイズのカラー通信が指定されると、受信した情報を記録用紙に記録し、２倍未満の拡大であれば、拡大して記録し、１ページの記録紙にフィットするように印字し、一方、２倍以上の拡大であれば、２ｉｎ１記録（２ページの受信情報を１ページの記録紙に記録すること）を実行し、また、１０％以下の縮小であれば、縮小して記録し、１ページの記録紙にフィットするように印字できるので、記録紙を有効利用することができるという効果を奏する。
【図面の簡単な説明】
【図１】本発明の第１の実施例であるファクシミリ装置ＦＳ１のブロック図である。
【図２】ファクシミリ装置ＦＳ１を制御する動作を示すフローチャートである。
【図３】ファクシミリ装置ＦＳ１を制御する動作を示すフローチャートである。
【図４】ファクシミリ装置ＦＳ１を制御する動作を示すフローチャートである。
【図５】ファクシミリ装置ＦＳ１を制御する動作を示すフローチャートである。
【図６】ファクシミリ装置ＦＳ１を制御する動作を示すフローチャートである。
【図７】ファクシミリ装置ＦＳ１を制御する動作を示すフローチャートである。
【図８】ファクシミリ装置ＦＳ１を制御する動作を示すフローチャートである。
【図９】ファクシミリ装置ＦＳ１を制御する動作を示すフローチャートである。
【図１０】本発明の第２の実施例の動作を示すフローチャートである。
【図１１】本発明の第３の実施例であるファクシミリ装置ＦＳ３のブロック図である。
【図１２】第３の実施例において、カラー伝送におけるプロトコルの具体例を示す図である。
【図１３】第３の実施例において、カラー受信で非定型サイズ通知があった場合における受信情報に対する記録を示す図である。
【図１４】第３の実施例において、モノクロ２値の受信情報に対する記録、モノクロ多値の受信情報に対する記録、カラー受信で非定型サイズ通知がない場合の受信情報に対する記録を示す図である。
【図１５】第３の実施例の動作を示すフローチャートである。
【図１６】第３の実施例の動作を示すフローチャートである。
【符号の説明】
ＦＳ１、ＦＳ３…ファクシミリ装置、
１６、１１６…記録回路、
１８，１１８…メモリ、
２０、１２０…操作部、
２４、１２４…ＲＯＭ。
【図１】
2004088668.tif 000003
【図２】
2004088668.tif 000004
【図３】
2004088668.tif 000005
【図４】
2004088668.tif 000006
【図５】
2004088668.tif 000007
【図６】
2004088668.tif 000008
【図７】
2004088668.tif 000009
【図８】
2004088668.tif 000010
【図９】
2004088668.tif 000011
【図１０】
2004088668.tif 000012
【図１１】
2004088668.tif 000013
【図１２】
2004088668.tif 000014
【図１３】
2004088668.tif 000015
【図１４】
2004088668.tif 000016
【図１５】
2004088668.tif 000017
【図１６】
2004088668.tif 000018